(57)【特許請求の範囲】
【請求項１】
供給された映像信号に基づく画像とともにモニタに表示されるメニュー画面表示について設定項目の値の調整及び設定項目の選択を制御する表示制御装置において、
ユーザにより操作される被押圧領域を有し、上記被押圧領域の押圧された位置に応じた位置情報を出力する被押圧手段と、
上記位置情報に基づいて、上記被押圧手段の押圧されている被押圧位置が、移動しているか否かを検出し、上記被押圧位置が移動していると検出した際には、上記位置情報の変化量を示す移動情報を生成する検出手段と、
上記検出手段が上記被押圧位置が移動していると検出した際には、上記移動情報に基づいて、上記検出手段が上記被押圧位置が移動していないと検出した際は、上記位置情報に基づいて、上記各設定項目の値の調整及び上記設定項目の選択を制御する制御手段であって、上記映像信号に基づく画像が表示されているときに上記被押圧手段が操作されると該被押圧手段からの位置情報または上記移動情報に基づき音量の調整を行うとともに上記メニュー画面表示として音量表示を行うよう制御する制御手段と、
を備えたことを特徴とする表示制御装置。
【請求項２】
上記検出手段は、上記被押圧手段の押圧が開始された位置を示す位置情報と現在の被押圧位置を示す位置情報との差分に基づいて、上記移動情報を生成することを特徴とする請求項１に記載の表示制御装置。
【請求項３】
上記被押圧領域は、複数のサブ領域に分割され、
上記検出手段は、上記被押圧位置が移動していないと検出した際に上記位置情報で示される被押圧位置がどのサブ領域に位置するかを示すサブ領域情報を生成し、
上記制御手段は、上記サブ領域情報に基づいて、上記各設定項目の値の調整及び上記設定項目の選択を制御することを特徴とする請求項２に記載の表示制御装置。
【請求項４】
上記検出手段は、上記被押圧領域を第１のサブ領域と、第２のサブ領域と、上記第１のサブ領域と上記第２のサブ領域の間に位置する第３のサブ領域に分割し、
上記制御手段は、上記第３のサブ領域を不感領域として、上記各設定項目の値の調整及び上記設定項目の選択を制御することを特徴とする請求項３に記載の表示制御装置。
【請求項５】
ユーザによる入力操作に基づいて、表示オンオフ切換え情報を出力する表示オンオフ切換え手段をさらに備え、
上記制御手段は、音量表示が行われている状態において、上記表示オンオフ切換え情報に基づいて、各設定項目の値の調整及び設定項目の選択を制御するためのメニュー画面の表示のオンオフに関する切換えを制御することを特徴とする請求項１に記載の表示制御装置。
に記載の表示制御装置。
【請求項６】
ユーザによる入力操作に基づいて、エンター情報を出力するエンター手段をさらに備え、
上記制御手段は、上記メニュー画面表示される設定項目であって、上記被押圧手段により選択されている設定項目に関する確定処理を、上記エンター情報に基づいて行うことを特徴とする請求項５に記載の表示制御装置。
【請求項７】
上記制御手段は、上記移動情報に対する上記各設定項目の値の変化量を各設定項目に応じて可変とすることを特徴とする請求項６に記載の表示制御装置。
【請求項８】
供給された映像信号に基づく画像とともにモニタに表示されるメニュー画面表示について設定項目の値の調整及び設定項目の選択を制御する表示制御方法において、
ユーザにより操作される被押圧領域を有し、上記被押圧領域の押圧された位置に応じた位置情報を出力し、
上記出力された上記位置情報に基づいて、上記押圧されている被押圧位置が、移動しているか否かを検出し、上記被押圧位置が移動していると検出した際には、上記位置情報の変化量を示す移動情報を生成し、
上記被押圧位置が移動していると検出した際には上記移動情報に基づいて、上記被押圧位置が移動していないと検出した際は上記位置情報に基づいて、上記各設定項目の値の調整及び上記設定項目の選択を制御するとともに、上記映像信号に基づく画像が表示されているときに上記被押圧領域が押圧されると上記位置情報または上記移動情報に基づき音量の調整を行い、
上記メニュー画面表示として音量表示を行うよう制御する
ことを特徴とする表示制御方法。
【請求項９】
供給された映像信号に基づく画像とともにモニタに表示されるメニュー画面表示について設定項目の値の調整及び設定項目の選択を制御する映像表示装置において、
上記モニタを有するモニタ装置と、
上記モニタ装置を制御する遠隔制御装置と、
ユーザにより操作される被押圧領域を有し、上記被押圧領域の押圧された位置に応じた位置情報を出力する被押圧手段と、
上記位置情報に基づいて、上記被押圧手段の押圧されている被押圧位置が、移動しているか否かを検出し、上記被押圧位置が移動していると検出した際には、上記位置情報の変化量を示す移動情報を生成する検出手段と、
上記検出手段が上記被押圧位置が移動していると検出した際には、上記移動情報に基づいて、上記検出手段が上記被押圧位置が移動していないと検出した際は、上記位置情報に基づいて、上記各設定項目の値の調整及び上記設定項目の選択を制御する制御手段であって、上記映像信号に基づく画像が表示されているときに上記被押圧手段が操作されると該被押圧手段からの位置情報または上記移動情報に基づき音量の調整を行うとともに上記メニュー画面表示として音量表示を行うよう制御する制御手段と、
を備えたことを特徴とする映像表示装置。
【発明の詳細な説明】
【０００１】
【発明の属する技術分野】
本発明は、例えばモニタ装置等に備えられ、キー操作等に応じて表示制御を行うことのできる表示制御装置に関するものである。
【０００２】
【従来の技術】
近年、モニタ装置やテレビジョン受像機等の表示装置においては、多機能化が進められてきており、これに従って、ユーザが任意に設定変更可能な項目も増加してきている。
【０００３】
【発明が解決しようとする課題】
ところが、上記のようにユーザが設定変更可能な項目が増加していくに従って、これらの設定操作は当然複雑化して面倒なものとなる。このため、できるだけユーザが分かり易い操作体系により、多数の設定項目を容易に変更したり調整できるようにすることが望まれている。
【０００４】
そこで、例えばモニタ装置本体の操作部やリモートコントローラに対して、モニタ装置に付加された機能ごとに対応するキー等を設けることが考えられるが、この場合には設けるべきキー数が膨大なものとなり、かえってユーザにとっては扱いにくい操作体系となる。
【０００５】
このため、できるだけ少ないキー数によってもユーザに分かり易い操作が実現されることが好ましい。そこで、従来においては、例えばモニタ装置本体やリモートコントローラに対して、比較的頻繁に使用するとされる、音量キーや、入力ソースの切換えのための入力切換えキーなどについては独立して設けた上で、画質や音質調整その他、それほど使用頻度の多くない調整項目についてはメニュー画面により選択して、調整を行うといったことが行われている。
【０００６】
ただし、上記のような操作体系においても、頻繁に使用する機能のためのキーは独立して設けられる。また、音量等を初めとする何らかの調整値の変更やメニュー画面のカーソルの移動などは、通常、１対のアップキー及びダウンキー（又は右キー及び左キー）を使用して行われるように構成されおり、削減可能なキー数には限度がある。
また、上記のような調整値やカーソルの移動などの感覚的な操作について、アップキー及びダウンキー（又は右キー及び左キー）等を押圧操作することによって行うという方法は、必ずしもユーザの操作感覚に適うものではないという問題も有している。
【０００７】
【課題を解決するための手段】
そこで本発明は上記した課題を解決するために、供給された映像信号に基づく画像とともにモニタに表示されるメニュー画面表示について設定項目の値の調整及び設定項目の選択を制御する表示制御装置において、ユーザにより操作される被押圧領域を有し、上記被押圧領域の押圧された位置に応じた位置情報を出力する被押圧手段と、上記位置情報に基づいて、上記被押圧手段の押圧されている被押圧位置が、移動しているか否かを検出し、上記被押圧位置が移動していると検出した際には、上記位置情報の変化量を示す移動情報を生成する検出手段と、上記検出手段が上記被押圧位置が移動していると検出した際には、上記移動情報に基づいて、上記検出手段が上記被押圧位置が移動していると検出した際には、上記移動情報に基づいて、上記検出手段が上記被押圧位置が移動していないと検出した際は、上記位置情報に基づいて、上記各設定項目の値の調整及び上記設定項目の選択を制御する制御手段であって、上記映像信号に基づく画像が表示されているときに上記被押圧手段が操作されると該被押圧手段からの位置情報または上記移動情報に基づき音量の調整を行うとともに上記メニュー画面表示として音量表示を行うよう制御する制御手段とを備えて構成することとした。
【０００８】
上記構成によれば、ユーザがタブレット（被押圧手段）上を押圧した位置情報や、タブレット上を押圧しながらスライド操作した移動情報などに応じて、例えば各種調整値の変更やカーソル位置等の変更のための操作を行うことが可能となる。
【０００９】
【発明の実施の形態】
以下、図１〜図９を参照して本発明の実施の形態について説明する。本実施の形態としての表示制御装置はモニタ装置に備えられるものとする。
なお、以降の説明は次の順序で行うものとする
１．モニタ装置の外観
２．タブレットキー
３．モニタ装置の構成
４．リモートコントローラの構成
５．本実施の形態のモニタ装置における操作例
６．本実施の形態のキー操作に基づく処理動作
（６−ａ. リモートコントローラの送信処理動作）
（６−ｂ．モニタ装置のシステムコントローラの表示制御処理動作）
【００１０】
１．モニタ装置の外観
図１は、本発明の実施の形態としてのモニタ装置の外観の一例を示す斜視図である。この図に示すモニタ装置１においては、筐体１ａの正面パネルに対して、表示画面となるＣＲＴ(Cathode Ray Tube)２が設けられている。また、この図において正面パネルの左縁側は操作パネルとされて、上から当該モニタ装置の電源のオン／オフを行うための電源キー３、後述するメニュー画面の表示／消去の切換を行うためのコントロールキー４、メニュー画面上のカーソル移動や調整値のアップ／ダウンを行うためのタブレットキー５、各種設定項目の確定操作を行うためのエンターキー６が設けられている。
【００１１】
２．タブレットキー
次に、上記モニタ装置１のパネル面に設けられるタブレットキー５について説明する。
本実施の形態においては、タブレットキー５上を単に押圧操作する、あるいはタブレットキー５上を指で押圧した状態で、その指を上下方向にスライドさせるように操作する（以降、このような操作を「スライド操作」という）ことで、メニュー画面におけるカーソル移動や、現在選択されている項目の調整値の変更を行うことができるように構成されるものである。
【００１２】
そこで先ず、タブレットキー５の構造について概略的に説明する。図２（ａ）は、タブレットキー５を形成するタブレットシート５Ａ−１を示している。このタブレットシート５Ａ−１はシート上で押圧操作された位置に対応して変化する電圧値Ｖが得られるようにされている。そして本実施の形態の場合には、実際の使用形態を考慮して、シート上の押圧位置に対応する電圧値は、図示する方向においてのみ１次元的に変化するように設定されている。
【００１３】
本実施の形態のタブレットシート５Ａ−１は、コンピュータ装置においてカーソルなどの移動のための操作子として設けられるいわゆるトラックパッド等に用いられるタブレットを利用することができるのであるが、図２（ｂ）に本実施の形態のタブレットシート５Ａ−１として利用することのできるタブレットの構造の一例を示す。
【００１４】
図２（ｂ）に示すタブレットシート５Ａ−１は、例えばカーボンの抵抗体Ｒ１，Ｒ２が対向するようにして配置されている。これら抵抗体Ｒ１及びＲ２は、タブレットシート５Ａ−１に対して行われる押圧操作によって、その被押圧位置Ｐにて接触するようになっている。
この場合、抵抗体Ｒ１の両端からは電極Ｔ１，Ｔ２がそれぞれ引き出されており、電極Ｔ１は所定レベルの直流電圧Ｖｃｃのラインと接続され、電極Ｔ２はアースに接地されている。また、抵抗体Ｒ２の一端からは電極Ｔ３が引き出されると共にその他端はオープンとされている。電極Ｔ３は例えばＡ／Ｄコンバータ３０に対して入力されている。
このような構造によるタブレットシート５Ａ−１により、被押圧位置Ｐに応じた電圧値Ｖを検出するには、先ず、抵抗体Ｒ１の電極Ｔ１，Ｔ２に対してそれぞれ電圧Ｖｃｃ（Ｖ）、０（Ｖ）の電圧を印加して、抵抗体Ｒ１において電圧Ｖｃｃ（Ｖ）〜０（Ｖ）の電位勾配が発生するようにしておく。
この状態において、タブレットシート５Ａ−１に対する押圧操作により任意の被押圧位置Ｐにて抵抗体Ｒ１とＲ２が接触すると、被押圧位置Ｐにおける抵抗体Ｒ１の電位は抵抗体Ｒ２を介して電極Ｔ３に伝えられることになる。そして、この電極Ｔ３に得られたアナログ値による電圧は、例えばＡ／Ｄコンバータ３０に入力されることにより、デジタル値による電圧情報に変換されることになる。
【００１５】
図２（ｂ）には、上記タブレットシート５Ａ−１を備えて形成されるタブレット５Ａの構造を示す斜視図が示されている。この図に示すように、タブレットシート５Ａ−１が基板５Ａ−２上に配置され、シート上の操作位置に応じた電圧値を出力するための電極５Ａ−３が引き出されている。また、グランド電位と接続されるグランド電極５Ａ−４が設けられている。
【００１６】
図３は、上記のような構造のタブレット５Ａを備えて構成されるタブレットキー５として、図１に示したモニタ装置１に設けられた状態を抜き出して示したものとされる。このタブレットキー５は、図２（ｃ）に示したタブレット５Ａに対して図３のように「＋」記号と「−］の記号が印刷されたパネルシートを表面に設けるようにすることで構成される。
【００１７】
このタブレットキー５には、「＋（プラス）」の記号が印刷された部分が対応するアップ領域５ａと、「−（マイナス）」の記号が印刷された部分が対応するダウン領域５ｂ、及びこれらアップ領域５ａとダウン領域５ｂの間に設けられる不感帯領域５ｃが区分されて設定される。この設定はユーザがタブレットキー５上を押圧操作している位置に対応する電圧値の情報に基づいて、図４により後述するシステムコントローラ１１により設定される。
なお、上記アップ領域５ａとダウン領域５ｂ、及び不感帯領域５ｃの区分設定は、タブレットキー５の操作形態として、ユーザがタブレットキー５上のある位置をスライドさせることなく押圧操作するような場合のみに有効とされるものであり、ユーザが図３の矢印に示す方向に指などを押圧しながらスライド操作を行っている場合（つまり、タブレットキー５上の押圧位置に応じた電圧値Ｖが連続的に変化する場合）には、無効となるように設定される。この不感帯領域５ｃの有効、無効の設定は、例えば、システムコントローラ１１がタブレットキー５から出力される電圧値を認識することにより実現される。
【００１８】
このような構造によるタブレットキー５では、上記２つの操作方法のいずれによっても、図５にて後述するように、カーソルの上下移動もしくは選択されたメニュー項目の調整値の調整を行うことができる。
つまり、上記図３に示したタブレットキー５のアップ領域５ａとダウン領域５ｂを個々に押圧操作することによって、あたかもアップキーとダウンキーのように扱って、カーソル移動又は調整値のアップ／ダウンを行う第１の操作と、上記タブレットキー５上をスライド操作することによって、そのスライド操作した方向及び移動量に応じてカーソル又は調整値のアップ／ダウンを行う第２の操作の、何れの操作も行うことが可能とされている。この操作方法の何れを行うかはユーザがその都度好みに応じて任意に選択すればよく、モニタ装置１のシステムコントローラ１１（図４により後述）側では、常に何れの操作方法にも対応した制御動作ができるように構成されている。
【００１９】
３．モニタ装置の構成
図４は、本実施の形態のモニタ装置１の要部の構成を示すブロック図である。なお、図１と同一部分には同一符号を付して説明を省略する。
この図においては、映像信号切換部１３に対して、例えば複数の外部映像ソースの映像信号が供給されている。映像信号切換部１３では、システムコントローラ１１から出力される制御信号に基づいて、入力された映像信号について択一的に選択して映像信号処理ブロック７に対して供給する。
映像信号処理ブロック７においては、入力された映像信号について所要の信号処理を施して映像スイッチ８に供給する。映像信号処理ブロック７における信号処理動作はシステムコントローラ１１により制御される。
管面表示デバイス９は、キャラクタジェネレータ及びオンスクリーンディスプレイ等を備えて、後述する音量調整表示やメニュー画面の表示などの管面表示を行うために設けられる。この管面表示デバイス９では、システムコントローラ１１の制御によって所要の管面表示用の映像信号を生成して映像スイッチ８に供給する。そして、表示画面上の所定位置に対して上記管面表示用の画像が表示されるための所定のタイミングにより、映像スイッチ８の信号切換を行う。
これにより、ＣＲＴ２においては映像信号処理ブロック７から供給された映像ソースの映像に重なるようにして、管面表示用のキャラクタ等を表示させることができる。
【００２０】
タブレットキー５から出力される押圧位置に応じた電圧値は、タブレットキー検出部１０に入力される。タブレットキー検出部１０は、例えばマイクロコンピュータ及び各種所要の演算情報等を格納するＲＡＭ等を備えて構成され、例えば所定時間ごとにタブレットキー５から取り込んだ電圧値情報に基づいて、少なくとも現在のタブレットキー５上の被押圧操作位置Ｐに対応する絶対位置情報を生成する。この場合、例えばタブレットキー検出部１０において、図２（ｂ）に示したＡ／Ｄコンバータが備えられて、デジタル値としての電圧値が入力されるように構成されても構わない。
ここで、図６に本実施の形態のタブレットキー検出部１０における絶対位置情報の検出のための処理動作を示す。タブレットキー検出部１０は、先ずステップＦ１０１において、あらかじめ設定された所定時間が経過したか否かについて判別を行い、所定時間が経過したことが判別されるとステップＦ１０２に進み、現在タブレットキー５から出力される電圧値を読み込む処理を実行する。ここで、タブレットキー５より出力される電圧値としては、例えば、押圧操作が行われていないときには０（Ｖ）に対応する最小値あるいはＶｃｃ（ｖ）に対応する最大値を取り、押圧操作が行われているときには０（Ｖ）より大きくＶｃｃ（ｖ）より小さい範囲内で被押圧操作位置Ｐに応じた電圧値をとるものとされる。
上記ステップＦ１０２において電圧値の読み込みが完了すると、ステップＦ１０３において読みとった電圧値に基づいて絶対位置情報を生成してＲＡＭに保持してステップＦ１０１に戻る。ここでいう絶対位置情報とは、タブレットキー５上における絶対的な操作位置を示す情報である。
このように、タブレットキー検出部１０は、タブレットキー５の操作情報として、所定時間ごと、例えば８垂直走査周期、即ち１６ｍｓｅｃ×８＝１２８ｍｓｅｃごとに現在のタブレットキー５の電圧値を読み込んで、これを絶対位置情報として保持する処理を継続する。
なお、本実施の形態のタブレットキー検出部１０は、例えば前回取り込んだ電圧値と今回取り込んだ電圧値とに基づいて、前回時に対する今回時の電圧値の相対変化量の情報（相対移動量情報）を算出して保持するように構成し、システムコントローラ１１においてはこの相対移動量情報に基づいて所要の演算処理や制御処理を実行するように構成することもできる。
【００２１】
タブレットキー検出部１０で生成された操作情報のデータは、所定時間（例えば１２８ｍｓｅｃ）ごとにシステムコントローラ１１に取り込まれる。
この場合、コントロールキー４及びエンターキー６及び電源キー３の操作信号はシステムコントローラ１１に直接入力されている。
【００２２】
スピーカＳＰは、エンターキー６の操作により何らかの設定項目について確定が行われた場合に、これをユーザが確認できるようにするためのビープ音などの指示音声を出力するために設けられている。この場合には、ビープ音の音声信号はシステムコントローラ１１より供給される。
【００２３】
受信部１２は、リモートコントローラＲＣの操作に基づいて送信される操作情報信号を受信して、システムコントローラ１１に供給する。リモートコントローラＲＣにおいては、例えば、図１に示したモニタ装置１の本体に操作パネルとして設けられたキー群が設けられて、同様の操作が可能なように構成されているものとされる。なお、リモートコントローラＲＣの構成については後述する。
【００２４】
なお、図４においては入力ソースの音声信号を処理して音声として出力する音声信号系の回路構成は図示を省略しているが、例えば実際には映像ソースに対応する音声信号の入力端子を備えて、選択された映像ソースに応じた音声信号が選択される。そして選択された音声信号は図示しない音声信号処理ブロックにより所要の信号処理が施された後に、増幅回路を介して増幅された音声信号として出力されるように構成されている。
【００２５】
４．リモートコントローラの構成
図５のブロック図は、本実施の形態のリモートントローラＲＣの内部構成例を示している。このリモートコントローラＲＣにおいては、モニタ装置１本体に操作パネルとして設けられていたタブレットキー５、コントロールキー４、エンターキー６、電源キー３と同様の機能を有するタブレットキー５０、コントロールキー４０、エンターキー６０、電源キー３０が備えられているものとされる。
この場合、タブレットキー５０には、先に図２及び図３に示した構造及び外観構造と同様のものが用いられるものとされる。このタブレットキー５０の操作情報としての電圧値はタブレットキー検出部２５に取り込まれる。このタブレットキー検出部２５は、モニタ装置１に備えられるタブレットキー検出部１０と同様の構成を採るものとされる。そして、たとえば図６により説明したのと同様の処理動作によって、所定時間ごとに現在タブレットキー５０から出力されている電圧値を読み込んで、これに基づいて生成した絶対位置情報を保持する処理を継続する。タブレットキー検出部２５にて得られた絶対位置情報は、後述するようにして所定時間ごとにシステムコントローラ２６によって取り込まれる。
【００２６】
この場合、コントロールキー４０、エンターキー６０、電源キー３０の操作情報は直接システムコントローラ２６に対して入力されている。
システムコントローラ２６は、後述するような処理動作によって、タブレットキー検出部２５から取り込んだタブレットキー５０の操作情報（絶対位置情報）、及び、コントロールキー４０、エンターキー６０、電源キー３０の操作情報信号を取り込んで、キー操作信号として送信出力するための処理を実行する。
送信部２７では、システムコントローラ２６の制御によって、送信出力すべきキー操作信号について所定の送信フォーマットに従った変調を施して、例えば無線により送信出力する。この場合の送信形態としては赤外線や電波等によるものが考えられるが、ここでは特に限定されるものではない。
【００２７】
５．本実施の形態のモニタ装置における操作例
次に、本実施の形態のモニタ装置１に設けられるコントロールキー４、タブレットキー５、エンターキー６の操作方法と、これらのキーの操作に応じたモニタ装置の動作について、図７を参照して説明する。
なお、リモートコントローラＲＣに設けられたコントロールキー４０、タブレットキー５０、エンターキー６０の操作方法、及びこれらのキー操作によるモニタ装置１側の動作も、モニタ装置１のコントロールキー４、タブレットキー５、エンターキー６を操作した場合と同様となる。
【００２８】
図７（ａ）〜（ｆ）には、モニタ装置１のＣＲＴ２に表示される表示画面が示されている。図７（ａ）の表示画面においては、図示しないが実際には映像信号処理ブロック７から供給された映像信号に基づいて、現在選択された映像ソースの画像が表示されている。
このような状態において、例えば、ユーザがタブレットキー５を操作した場合には、音量の調整が行われるようになっている。なお、以降単に「タブレットキー５を操作する」と表現した場合には、図３にて説明した第１と第２の２つの操作方法の何れが行われても構わないものとされる。
具体的には、第１の操作方法としてタブレットキー５のアップ領域５ａを単に押圧操作している場合には音量がアップし、ダウン領域５ｂを押圧操作している場合には、音量のダウンが行われる。また、第２の操作方法としてタブレットキー５上を下から上方向にスライド操作を行った場合にはその移動量に応じて音量がアップし、逆に上から下方向にスライド操作した場合には、その移動量に応じて音量がダウンする。
そして、この音量調整の操作が行われている間には、この図７（ａ）のように、現在の音量を示す音量表示２０が表示画面内に表示され、ユーザはこの音量表示２０を見ながら音量調節のための操作を行うことができる。
【００２９】
次に、上記図７（ａ）に示す状態において、ユーザがコントロールキー４を操作したとする。すると、図７（ｂ）に示すように映像ソースの画像に重なるようにして入力切換表示２１が表示される。なお、この入力切換表示２１及び以降説明するメインメニュー２２及びサブメニュー（音質サブメニュー２３）を一括して「メニュー画面」ということにする。
この場合の入力切換表示２１においては、「ビデオ１」〜「ビデオ４」の４つの映像ソースの項目と、「メニュー」と表示されたメインメニュー２２の表示に移行するための項目の計５つの項目が表示されている。この図では、ビデオ３の項目に対して□のマークが付されて、現在ビデオ３に接続された映像ソースを選択していることが示されている。また、この入力切換表示２１内には、「ビデオ１」の項目の欄に対してカーソルＣが配置されるようにして表示されているが、タブレットキー５の操作によって、このカーソルＣを上記５つの項目間において自在に上下移動させることができる。
【００３０】
そして、上記図７（ｂ）の状態から、ユーザがタブレットキー５を操作してカーソルＣを「ビデオ４」の項目まで移動して配置させ、この状態でエンターキー６を操作したとする。すると入力切換表示２１は図７（ｃ）に示すように「ビデオ４」の項目にカーソルが配置されると共に□のマークが付されて、「ビデオ４」に接続された映像ソースが選択されたことを示す。これに応じて実際の表示画面もビデオ３の映像ソースから、新たに選択された「ビデオ４」の映像ソースの表示に切り換わる。
【００３１】
なお、本実施の形態においては、エンターキー６が操作されて何らかの操作の確定が行われた場合には、このことをユーザに知らせるためのビープ音をスピーカＳＰより出力可能に構成されている。このため、上記のようにしてエンターキーが操作されて映像ソースが切り換わったような場合にも、ビープ音が出力されることになる。また、以降の説明においてもエンターキー６の操作が適正に行われた場合には、その記述は省略するがその都度ビープ音が出力されるものである。
【００３２】
また、図７（ａ）又は図７（ｂ）に示す入力切換表示２１の状態から、「メニュー」の項目にカーソルＣを移動して配置させ、エンターキー６を操作した場合には、図７（ｄ）のメインメニュー２２の表示に切り換わる。このメインメニュー２２では、図のように「画質」、「音質」をはじめとして、その他の各種機能に関連して設けられた各種調整項目が上下方向に並んで表示されている。これら複数の調整項目に対しては、入力切換表示２１の場合と同様に、タブレットキー５の操作によりカーソルＣを移動して配置させることができる。
【００３３】
そして、図７（ｄ）の状態からカーソルＣを「音質」の項目に移動して配置してエンターキー６を操作すると、図７（ｅ）に示すようなメインメニューの下の階層のサブメニューとして、音質サブメニュー２３が表示出力される。サブメニューは、メインメニュー２２において候補として挙げられた調整項目に応じて複数設けられる。
図７（ｅ）の音質サブメニュー２３では、音質に関する調整項目として、「高音」、「低音」、ステレオ音声の左右の音量バランスを調整する「バランス」、サラウンド効果のオン／オフを設定する「サラウンド」の項目などが表示されている。
【００３４】
そして、上記図７（ｅ）の表示状態からユーザが「低音」を調節しようとする場合には、タブレットキー５を操作して「低音」の項目にカーソルＣを配置させてエンターキー６を操作する。これにより、「低音」の項目を調整することが確定され、音質サブメニュー２３は例えば図７（ｆ）に示すように表示が切り換わる。
図７（ｆ）の音質サブメニュー２３においては、カーソルＣは「低音」の項目の調整値の部分のみに配置されるようにして表示されると共に、この位置で固定されて、タブレットキー５の操作によっても移動しない。そして、この場合にはタブレットキー５を操作することによって、「低音」の調整値が増減するように変化する。
そして、上記タブレットキー５の操作により、ユーザが適当と思う調整値が設定されると、ユーザはエンターキー６を操作して、この調整値の決定を行う。これにより以降はユーザが設定した調整値に基づいた低音が出力されるようにシステムコントローラ１１が図示しない音声信号処理ブロックを制御することになる。
【００３５】
そして、これまで説明してキーたメニュー画面（入力切換表示２１、メインメニュー２２、各種サブメニュー）の表示を消去するには、再度、コントロールキー４を操作すればよい。
また、図７（ａ）〜（ｅ）に示すような音量表示２０及びメニュー画面の表示は、システムコントローラ１１がキー操作に基づいて、管面表示デバイス９の動作を制御して、適宜、音量表示２０や各種メニュー画面表示のための映像信号を生成し、映像スイッチ８を介してＣＲＴ２に供給することにより実現されるものである。
【００３６】
例えば、従来の操作体系によって図７に示したような操作を行おうとした場合には、音量アップキー、音量ダウンキー、少なくとも１つの入力ソース切り換えキー、メニュー画面における設定項目の選択や調整値の変更を行うメニュー用アップキー、ダウンキーの計５つ程度のキーが少なくとも必要とされていた。
これに対して、本実施の形態のモニタ装置において、少なくとも音量や各種調整値のアップダウン操作、及びカーソル移動による項目の選択操作を行おうとした場合には、タブレットキー５のみによって同等の操作を行うことが可能となる。
また、カーソルのアップ／ダウン又は調整値の変更に際して、タブレットキー５を通常のアップ／ダウンキーのようにして扱う操作に加え、タブレット上に対する上下方向におけるスライド操作により行うことができるようにしているが、これによってカーソルを上下移動させたり、数値を上下させたりするという操作が、タブレット上の指の上下運動に対応するために、それだけユーザの操作性が向上されることになる。
【００３７】
ところで、本実施の形態のタブレットキー５（５０）によりスライド操作を行う場合には、そのときの操作対象によってスライド操作によって変化すべきステップ数が異なる。
具体的に、図７（ｂ）に示すような入力表示切換２１であれば、タブレットキー５のスライド操作に応じて５つの項目間をカーソルＣが移動するために、このときのステップ数としては「５」となる。また、タブレットキー５のスライド操作により、図７（ａ）や図７（ｆ）などのように音量や低音などのなんらかの調整値を変更する場合、例えば調整値が「０」〜「９９」の範囲で調整値が１づつ可変であるとすれば、ステップ数は「１００」となる。
そこで本実施の形態においては、タブレットキー５の操作対象が変更するごとに、タブレットキー５に設定されたスライド可能領域の全ステップ数（可変範囲）をＭ、操作対象の調整値の全ステップ数（可変範囲）をＳとして、
Ｍ／Ｓ＝Ｔ・・・（式１）
により、調整値１ステップが対応するタブレットキー５上のスライドステップ量Ｔを算出する。そして、このスライドステップ量Ｔに基づいてカーソル移動や調整値の変更を行うことにより、スライド操作によるタブレットキー５上の単位移動量に対応するカーソル移動量又は調整値の変化量を適宜変更するようにしている。
これにより、例えば、図７（ｂ）に示す入力表示切換２１の場合であれば、タブレットキー５上の全スライド可能範囲をスライド操作すると、ちょうど表示された５項目間をカーソルＣが移動するようになり、図７（ａ）や図７（ｆ）に示すような調整値の変更であれば、例えばタブレットキー５上の全スライド可能範囲をスライド操作すると、ちょうど「０〜最大値」に調整値が変化するようになる。なお、場合によっては全スライド可能範囲をスライド操作しても「０〜途中の値」で調整が変化するようにしても良い。
このように、本実施の形態では、タブレットキー５の操作対象に応じてステップ数が変更しても、常にタブレットキー５の全てのスライド操作領域を有効に利用することができる。
【００３８】
６．本実施の形態のキー操作に基づく処理動作
（６−ａ. リモートコントローラの送信処理動作）
図８は、リモートコントローラＲＣにおけるシステムコントローラ２６の送信処理動作を示すフローチャートである。
このルーチンでは先ず、ステップＦ２０１において、予め設定された所定時間が経過するのを待機しており、ここで所定時間が経過したことが判別されると、ステップＦ２０２に進んでタブレットキー検出部２５にて検出されて保持されている、タブレットキー５０の電圧値の絶対位置情報を取り込む処理を実行する。続いて、ステップＦ２０３において、タブレットキー５０以外のキー操作（コントロールキー４０及びエンターキー６０を含む）の状態について検出を行っている。
そして、次のステップＦ２０４においては、上記ステップＦ２０２及びＦ２０３で得られた検出結果に基づいて、タブレットキー５０又は他の何らかのキーについて操作が行われたか否かについて判別する。ここで、特にタブレットキーに対する操作の有無については、例えば前述したように操作が行われていない状態であれば、タブレットキー検出部２５より取り込んだ絶対位置情報は、０（Ｖ）に対応する最小値あるいはＶｃｃ（ｖ）に対応する最大値を取っていることから、これらの値のうち何れか一方が得られていれば、タブレットキー５０に対する操作は行われていないこと判別することができる。
これに対して、上記ステップＦ２０４において何のキー操作もないと判別された場合にはステップＦ２０１の処理に戻って、再び所定時間が経過するのを待機することになる。
【００３９】
そして、ステップＦ２０４において何らかのキー操作が行われたと判別された場合には、ステップＦ２０５に進み、ステップＦ２０４で判別されたキー操作はコントロールキー４０の操作であったかどうかが判別される。そして、コントロールキー４０の操作が行われたと判別された場合にはステップＦ２０６に進んで、コントロールキー４０の操作信号を送信する制御処理を実行してステップＳ２０１に戻る。
これに対して、ステップＦ２０５においてコントロールキー４０の操作ではないと判別されたのであれば、ステップＦ２０７においてタブレットキー５０の操作であったかどうかが判別され、タブレットキー５０の操作であったと判別された場合には、ステップＦ２０８のタブレットキー５０の操作信号を送信する制御処理を実行してステップＦ２０１に戻る。なお、本実施の形態においてステップＦ２０６にて送信されるタブレットキー５０の操作信号としては、少なくともタブレットキー検出部２５から取り込んだ絶対位置情報を送信するようにされればよい。
【００４０】
ステップＦ２０９においては、エンターキー６０の操作であったか否かが判別され、ここで、エンターキー６０の操作であったと判別されたのであれば、ステップＦ２１０のエンターキー６０の操作信号を送信する処理を実行してステップＳ２０１に戻る。
これに対して、エンターキー６０の操作ではなかったと判別された場合には、ステップＦ２１１に進んで、上記コントロールキー４０、タブレットキー５０、及びエンターキー６０以外で操作が行われたキーについての操作信号を送信する処理を実行する。電源キー３０が操作されたのであれば、電源をオフ（又はオン）とするための処理を行うことになる。
【００４１】
（６−ｂ．モニタ装置のシステムコントローラの表示制御処理動作）
次に、図７に示したキー操作に対応してモニタ装置１としての表示制御動作及び各種調整値の変更処理を実現するための、システムコントローラ１１の処理動作について、図９〜図１３のフローチャートを参照して説明する。
図９は、モニタ装置１に設けられたキー群（タブレットキー５、コントロールキー４、エンターキー６を含む）、あるいはリモートコントローラＲＣに設けられたキー群（タブレットキー５０、コントロールキー４０、エンターキー６０を含む）に対して行われた操作に対応する判別処理を示している。
【００４２】
このルーチンにおいては、先ずステップＳ３００において予め設定された所定時間が経過するのを待機しており、このステップで所定時間が経過したことが判別されるとステップＦ３０１に進み、タブレットキー５（５０）の操作状態を入力して現在の操作状態を把握するための処理が行われる。このステップＦ３０１では、モニタ装置１のタブレットキー５が操作された場合には、タブレットキー検出部１０に保持されている絶対位置情報を取り込むことになる。また、リモートコントローラＲＣのタブレットキー５０が操作された場合には、リモートコントローラＲＣから送信されたタブレットキー５０の操作信号が受信部１２にて受信されるので、システムコントローラ１１は、受信部１２から伝送されるタブレットキー５０の操作信号としての絶対位置情報を取り込むことになる。
【００４３】
続いて、ステップＦ３０２においては、タブレットキー５（５０）以外のキー操作（コントロールキー４（４０）及びエンターキー６（６０）を含む）の状態について検出を行っている。ステップＦ３０２においても、モニタ装置１のキーが操作された場合には、これらのキーから出力される操作情報信号を取り込むことになり、リモートコントローラＲＣのキーが操作された場合には受信部１２にて受信した各キーごとの操作信号を取り込むことになる。
そして、ステップＦ３０３においては、上記ステップＦ３０１及びＦ３０２で得られた検出結果に基づいて、タブレットキー５又は他の何らかのキー操作が行われたか否かについて判別し、ここで何のキー操作もないと判別された場合には、ステップＦ３０４に進んでタブレットキーの操作が行われたことを示すタブレットキー検知フラグＦについてＦ＝０とする、つまりタブレットキー検知フラグＦをクリアして、ステップＦ３００の処理に戻り、再び所定時間が経過するのを待機することになる。
なお、上記タブレットキー検知フラグＦは、Ｆ＝０或いはＦ＝１の何れかの値をとるものとされるが、ブレットキー検知フラグについてＦ＝０とされている場合には、タブレットキー５（５０）は押圧操作されていないことを示し、Ｆ＝１とされている場合には、タブレットキー５（５０）が押圧操作されている状態にあることを示す。
【００４４】
そして、ステップＦ３０３において何らかのキー操作が行われたと判別された場合には、ステップＦ３０５に進み、ステップＦ３０３で判別されたキー操作はコントロールキー４（４０）の操作であったかどうかが判別され、コントロールキー４（４０）の操作が行われたと判別された場合にはステップＦ３０６のコントロールキー４（４０）の操作に対応する処理動作のルーチンに移行する。
これに対して、ステップＦ３０５においてコントロールキー４（４０）の操作ではないと判別されたのであれば、ステップＦ３０７においてタブレットキー５（５０）の操作であったかどうかが判別され、タブレットキー５（５０）の操作であったと判別された場合には、ステップＦ３０８のタブレットキー５（５０）の操作に対応する処理動作のルーチンに移行し、タブレットキー５（５０）の操作ではないと判別されたのであれば、ステップＦ３０９に進んで、タブレットキー検知フラグＦについてＦ＝０としてから、ステップＦ３１０に進む。
【００４５】
ステップＦ３１０においては、エンターキー６（６０）の操作であったか否かが判別され、ここで、エンターキー６（６０）の操作であったと判別されたのであれば、ステップＦ３１１のエンターキー６（６０）の操作に対応する処理のためのルーチンに移行する。これに対して、エンターキー６（６０）の操作ではなかったと判別された場合には、ステップＦ３１２に進んで、上記コントロールキー４（４０）、タブレットキー５（５０）、及びエンターキー６（６０）以外の他の何らかのキーが操作されたとして、操作されたキーに対応する処理を実行する。例えば電源キー３（３０）が操作されたのであれば、電源をオフ（又はオン）とするための処理を行うことになる。なお、ステップＦ３０４、Ｆ３０６、Ｆ３０８、Ｆ３１１、及びＦ３１２の処理が終了した後は、ステップＦ３００に戻る。
【００４６】
図１０には、上記図９におけるステップＦ３０６の処理ルーチンとしての、コントロールキー４（４０）の操作に対応する処理が示されている。
ここでは、ステップＦ４０１において、現在の表示状態として何らかのメニュー画面（図７参照）が表示出力中であるかについて判別を行っており、表示出力中ではないと判別された場合には、ステップＦ４０２においてメニュー画面として入力切換表示２１を表示するための処理が実行される。一方、ステップＦ４０１において、何らかのメニュー画面が表示出力中であると判別された場合には、ステップＦ４０３の処理によって、現在表示出力中のメニュー画面を消去する。
【００４７】
図１１には、図９のステップＦ３０８の処理ルーチンとしての、タブレットキー５（５０）の操作に対応する処理が示されている。
このルーチンでは、ステップＦ５０１において、現在タブレットキー検知フラグＦについてＦ＝１となっているか否かについて判別を行っており、ここで、タブレットキー検知フラグＦがＦ＝０とされている、つまり先の図９のステップＦ１０７における肯定の判別結果が、タブレットキー５（５０）の操作開始時点に対応するものであった場合には、ステップＦ５０２に進んで、タブレットキー検知フラグＦについてＦ＝１として元のルーチンに戻る。
これに対して、既にタブレットキー検知フラグＦについてＦ＝１とされている場合には、ステップＦ５０３に進んで、先にタブレットキー検知フラグＦ＝１とされた時点から現在までの、タブレット上におけるスライド移動量を相対的に示す、移動相対値ｍについてｍ＝０であるか否か、つまり、現在タブレットキー５（５０）に対して行われている操作がスライド操作か、単なる押圧操作かについての判別を行う。
例えば、上記移動相対値ｍは、タブレットキー検出部１０から取り込んだ（或いは受信部１２にて受信された）絶対位置情報に基づいて得ることができる。つまり、タブレットキー５（５０）に対する押圧操作が開始されてタブレットキー検知フラグＦ＝１が立てられた時点に対応して取り込んだ絶対位置情報と、最新の絶対位置情報との差を演算することにより移動相対値ｍの情報を得ることが可能である。つまり、タブレットキー検知フラグＦ＝１が立てられた時点に対応して取り込んだ絶対位置情報をａ、最新の絶対位置情報をｂとすると、移動相対値ｍは、
ｍ＝ａ−ｂ・・・（式２）
により求めることができる。
【００４８】
上記ステップＦ５０３において、移動相対値ｍについてｍ＝０ではない、つまりスライド操作が行われていると判別された場合には、ステップＦ５０４に進んで、現在の移動相対値ｍに基づいて、現在のタブレットキー５（５０）の操作対象として、カーソルＣの移動が可能とされている場合にはカーソル移動制御を行い、調整値を変更可能とされている場合には調整値のアップ／ダウンのための制御を実行する。
なお、このステップＦ５０４では、カーソル移動制御又は調整値の変更制御を行うのにあたり、前述のように操作対象ごとに調整値のステップ数が変わるのに応じて、例えば（式１）を利用して操作対象の調整値１ステップあたりが対応するタブレットキー５上のスライドステップ量Ｔを求めて、これに基づいてタブレットキー５（５０）上の単位移動量に対応するカーソル移動量又は調整値の変化量を適宜変更するように処理を実行するのであるが、このための処理動作例については後述する。
【００４９】
ステップＦ５０３において、移動相対値ｍについてｍ＝０であり単なる押圧操作が行われている状態であると判別された場合には、ステップＦ５０５に進んで、現在のタブレットキー５（５０）における操作位置はどの領域（図３参照）であるかについての判別が行われる。ここでいうタブレットキー５（２２）における操作位置とは、実質的には図２（ｂ）に示した被押圧操作位置Ｐに相当する。従って、操作位置の判別は最新の絶対位置情報に基づいて行うことができる。
【００５０】
上記ステップＦ５０５において、現在の操作領域がアップ領域５ａであると判別された場合には、ステップＦ５０６に進んで、現在の操作対象に応じて、カーソルＣを上方向に移動させるための処理又は調整値をアップさせるための処理を実行する。
また、現在の操作領域がダウン領域５ｂであると判別された場合には、ステップＦ５０７に進み、現在の操作対象に応じて、カーソルＣを下方向に移動させるための処理又は調整値をダウンさせるための処理を行う。
また、現在の操作領域が不感帯領域５ｃであると判別された場合には、特に処理を実行せずに元のルーチンに戻るようにされ、これによって不感帯領域５ｃに対する押圧操作は無効とされる。
【００５１】
図１２のフローチャートには、上記図１１におけるステップＦ５０４の処理ルーチンとして、操作対象の制御パラメータの可変範囲に応じてタブレットキー５（２２  ）上の単位移動量に対応するカーソル移動量又は調整値の変化量を変更して、これらカーソル移動制御又は調整値の変更制御を行うための処理動作が示されている。
ここでは、先ずステップＦ６０１に移行することで、カーソル移動／調整値変更処理モードとなるようにされている。なお、ここでは説明の便宜上、タブレットキー５（２２）に対して押圧操作が行われている状態でのタブレットキー５（２２）の電圧値（絶対位置情報）の可変範囲は０〜６３の６４ステップであるものとして以降の説明を行う。
【００５２】
上記ステップＦ６０１に続いては、現在の操作対象が何であるかについて判別を行っていくことになるが、例えばここでは、ステップＦ６０２に進むことにより、現在の操作対象が音量調整であるか否かについて判別を行うようにしている。そして、ステップＦ６０２において現在の操作対象は音量調整ではないと判別された場合にはステップＦ６０４に進むが、現在の操作対象が音量調整であると判別された場合には、ステップＦ６０３に進む。
【００５３】
ステップＦ６０３においては、スライド操作に応じて音量の調整値を更新する処理が行われる。なお、ここでは調整値の可変範囲は０〜６３の６４ステップであるものとする。
【００５４】
ステップＦ６０３では調整値を更新するために、先ず、調整値１ステップあたりに対するタブレットキー５（５０）のスライドステップ量Ｔを求めることが行われるが、これは前述した（式１）に基づいて算出することができる。
この場合、タブレットキー５（５０）の絶対位置情報の可変範囲は６４ステップであるのに対して、音量調整値の可変範囲も６４ステップであり、Ｍ＝Ｓ＝６４となるので、スライドステップ量Ｔは、
Ｔ＝Ｍ／Ｓ＝６４／６４＝１・・・（式３）
のようにして算出することになる。
【００５５】
続いては、上記のようにして算出されたスライドステップ量Ｔ＝１を利用して新規調整値を求める。新規調整値ＶＬｎは、現在の調整値をＶＬｃとして、
ＶＬｎ＝ＶＬｃ＋（ｍ／Ｔ）＝ＶＬｃ＋（ｍ／１）・・・（式４）
により算出する。なお、上記（式４）におけるｍは移動相対値である。
そしてステップＦ６０３では、音量の調整値を上記のようにして算出された新規調整値ＶＬｎに更新してすべての処理を終了することになる。
【００５６】
このように、本実施の形態の調整値の更新処理は、先ず調整値１ステップあたりに対するタブレットキー５（５０）のステップ可変量（スライドステップ量Ｔ）を求め、このスライドステップ量Ｔ、及び現在の移動相対値ｍ、現在の調整値ＶＬｃを利用して新規の調整値を求めるようにされる。
【００５７】
ステップＦ６０４においては、操作対象がカーソル移動であるか否かが判別され、ここで操作対象がカーソル移動ではないと判別された場合には、ステップＦ６０６に進むが、操作対象がカーソル移動であることが判別された場合には、ステップＦ６０５に進む。
【００５８】
ステップＦ６０５では、スライド操作に応じてカーソル値を更新する処理が行われる。ここでいう「カーソル値」とは、カーソル移動可能領域ごとに割り当てられる値をいうものとされる。具体的に、図７（ｂ）に示す入力切換表示２１であれば、５つのカーソル移動可能領域（「ビデオ１」〜「メニュー」の各領域である）存在することになるが、この場合には、例えば「ビデオ１」〜「メニュー」の各領域ごとにそれぞれ０〜４のカーソル値を与えて管理することになる。
【００５９】
ここでは、ステップＦ６０５において、現在のカーソル移動可能領域数が６つとされて、カーソル値の可変範囲としては０〜５（６ステップ）とされているものとする。
この場合、タブレットキー５（２２）の絶対位置情報の全ステップ数Ｍが６４ステップであるのに対して、カーソル値の全ステップ数Ｓは６ステップとなる。従って、この場合には、
Ｔ＝Ｍ／Ｓ＝６４／６＝１０…４・・・（式５）
によりスライドステップ量Ｔを算出することになる。ただし、本実施の形態では上記（式５）のように演算結果に端数（余り）が生じるときには、この端数（余り４）を切り捨てるようにする。従って、この場合にはスライドステップ量ＴについてはＴ＝１０となる。
そして、上記（式５）の演算結果としてのスライドステップ量Ｔ＝１０を利用して、
ＣＳｎ＝ＣＳｃ＋（ｍ／Ｔ）＝ＣＳｃ＋（ｍ／１０）・・・（式６）
により新規カーソル値ＣＳｎを求める。なお、上記（式４）におけるＣＳｃは現在のカーソル値である。ステップＦ６０５では、カーソル値が上記新規カーソル値ＣＳｎとなるように更新を行ってすべての処理を終了する。
【００６０】
ステップＦ６０６においては、操作対象が予め用意された各種画質調整項目のうちの何れか１つの調整項目とされているか否かを判別しており、ここで操作対象が画質調整項目ではないと判別された場合には、ステップＦ６０８に進むが、操作対象がカーソル移動であることが判別された場合には、ステップＦ６０７に進む。
【００６１】
ステップＦ６０７では、現在選択されている画質調整項目について調整値を更新する処理が行われる。ここでは、当該画質調整項目における調整値の可変範囲は０〜９９の１００ステップであるものとする。
この場合には、タブレットキー５（２２）の絶対位置情報の可変範囲Ｍが６４ステップであるのに対して、調整値の可変範囲Ｓは１００ステップとなる。従ってスライドステップ量Ｔは、
Ｔ＝Ｍ／Ｓ＝６４／１００＝０．６４・・・（式７）
により算出することになる。
この場合には、新規調整値ＶＬｎを算出するのに際して、移動相対値ｍに対して
１／Ｔ＝１／０．６４・・・（式８）
の近似値である１．５を乗算することにする。つまり、
ＶＬｎ＝ＶＬｃ＋１．５ｍ・・・（式９）
による演算を行って新規調整値ＶＬｎを算出する。そしてこの新規調整値ＶＬｎとなるように調整値を更新して、ステップＦ６０７としての処理を終了する。
【００６２】
ステップＦ６０８においては、操作対象が予め用意された各種音質調整項目のうちの何れか１つの調整項目とされているか否かについて判別しており、ここで操作対象が音質調整項目ではないと判別された場合には、ステップＦ６１０に進むが、操作対象が音質調整項目であることが判別された場合には、ステップＦ６０９に進む。
【００６３】
ステップＦ６０９では、現在選択されている音質調整項目についての新規調整値を算出する処理が行われる。ここでは、当該音質調整項目における調整値の可変範囲は０〜９９の１００ステップであるものとする。
この場合にも、上述したステップＦ６０９における画質調整時と同様に、タブレットキー５（２２）の絶対位置情報の可変範囲が６４ステップであるのに対して、調整値の可変範囲は１００ステップとなる。
従ってこの場合には、先に示した（式７）の演算によりスライドステップ量Ｔを求め、続いて、先に示した（式９）による演算を行って新規調整値ＶＬｎを算出すればよいことになる。そして、この新規調整値ＶＬｎとなるように調整値を更新してステップＦ６０９としての処理を終了する。
【００６４】
ステップＦ６１０においては、上記音量調整、カーソル移動、画質調整項目、音質調整項目以外の操作対象についての、新規調整値の算出処理を実行した後に、ステップＦ６１１に進む。なお、本実施の形態のモニタ装置１において、上記音量調整、カーソル移動、画質調整、音質調整以外で、タブレットキー５（２２）により操作可能な操作対象項目が設定されていない場合には、ステップＦ６１４の処理は省略することができる。
【００６５】
ステップＦ６１１においては、当該ステップＦ６１１にまで至る過程において、上記ステップＦ６０３，Ｆ６０５，Ｆ６０７，Ｆ６０９，Ｆ６１０の何れかの処理の実行によって更新された調整値（ここでは新規調整値ＶＬｎあるいは新規カーソル移動値ＣＳｎをいうものとされる）が最大値以上あるいは最小値以下に至ったか否かについて判別する。ここで、否定結果が得られた場合には、更新された調整値が最小値から最大値の範囲内にあるとしてそのままステップＦ６１３に進むが、肯定結果が得られた場合にはステップＦ６１２に進む。
【００６６】
ステップＦ６１２においては、更新された調整値が最大値以上となった場合には現在の操作対象に対して設定された調整値の最大値に制限する処理を実行し、更新された調整値が最小値以下となった場合には、現在の操作対象に対して設定された調整値の最小値に制限する処理を実行してステップＦ６１３に進む。
【００６７】
ステップＦ６１３においては、これまでの処理動作により更新された調整値あるいはカーソル値に基づいて、現在選択されている操作対象に関する表示制御、及び更新された調整値に基づく所要の調整項目に対する調整制御を実行する。
具体的には、例えばステップＦ６０３を経由することにより新規音量調整値ＶＬｎが設定されてステップＦ６１３に至った場合には、規音量調整値ＶＬｎに対応して実際に音量が変化するように音量調整制御を実行する。また、これと並行して例えば図７（ａ）に示す音量表示２０における音量調整値が新規音量調整値ＶＬｎに対応する値となるように表示制御を実行することになる。
また、例えばステップＦ６０５を経由して新規カーソル値ＣＳｎが設定されてステップＦ６１３に至った場合には、新規カーソル値ＣＳｎに基づくカーソル移動が行われるように表示制御を実行することになる。
また、ステップＦ６０７を経由して、画質調整のための新規調整値ＶＬｎが設定されてステップＦ６１３に至った場合には、新規調整値ＶＬｎに基づいて現在選択されている画質調整項目の画質調整を実行すると共に、このときに表示出力中とされている画質調整値を変更して表示するための制御を実行することになる。
さらに、ステップＦ６０９を経由して、音質調整のための新規調整値ＶＬｎが設定されてステップＦ６１３に至った場合には、新規調整値ＶＬｎに基づいて現在選択されている音質調整項目の音質調整を実行すると共に、このときに表示出力中とされている音質調整値を変更して表示するための制御を実行する。例えば、図７（ｂ）に示す表示状態であれば、音質サブメニュー２３における「高音」の音質調整項目における調整値が、タブレットキー５（２２）の操作に応じて変更表示されると共に、変更された調整値に従って、高音が強調あるいは低減されるように出力音声の音質が変化するようにされる。
なお、ステップＦ６０５、Ｆ６０７、Ｆ６０９において移動ステップ量Ｔについて端数切り捨て等によって近似値を利用することができるのは、タブレットキー５（５０）上をスライドさせるという大雑把な操作であることによる。
【００６８】
図１３は、図９のステップＦ３１１の処理ルーチンとしての、エンターキー６（６０）の操作に対応する処理が示されており、ここでは、先ずステップＦ７０１において、現在なんらかのメニュー画面（図７（ｂ）（ｃ）に示す入力切換表示２１を含む）が表示されているか否かについて判別を行っており、メニュー画面が表示されていない場合には、そのままもとのルーチンに戻ることにより、エンターキー６（６０）の操作は無効とされる。これに対して、現在メニュー画面が表示されていると判別された場合には、ステップＦ７０２に進んで、エンターキー６（６０）の操作によって現在のメニュー内容に対応する所定の確定処理が行われることを示すビープ音を出力し、続くステップＦ７０３において、メニュー画面の表示状態に応じた確定処理を実行して、元のルーチンに戻る。
上記確定処理の具体例として、例えば図７（ｃ）に示す入力切換表示２１において「メニュー」の領域にカーソルＣが配置されている状態のもとでエンターキー６（６０）の操作が行われたとすると、確定処理として、図７（ｃ）から図７（ｄ）のメインメニュー２２の表示に切換えるように表示制御を行うと共に、このときスピーカＳＰから確定処理の実行を示すビープ音を出力させる。
【００６９】
なお、本発明はこれまで説明してきた実施の形態に限定されるものではなく変更が可能とされ、例えば、図７に示したような音量表示やメニュー画面表示の表示形態は、実際にユーザが視覚的に把握しやすいように変更されて構わない。
また、エンターキー６（６０）操作時のビープ音の出力なども、例えばメニュー画面の設定項目として設けられて、ユーザが任意にそのオン／オフを設定できるようにすることができる。
また、本発明のモニタ装置として、テレビジョン放送を受信するチューナを備えたテレビジョン受像器に対しても適用が可能とされることはいうまでもない。
【００７０】
【発明の効果】
以上説明したように本発明は、押圧操作及びスライド操作により、カーソル移動及び調整値の変更が可能なタブレットキーを備えたことで、従来の操作体系において必要となるキー数と比較して、非常に少ないキー数によって、モニタ装置の各種機能に関するほとんど全ての設定、調整などを簡略に行うことが可能となるという効果を有している。
また、例えばタブレットキーを縦方向にスライドする操作によって、カーソルの上下移動及び調整値の増減を行うように構成して、ユーザの操作感覚に適合するようにしているため、例え少ないキー数による操作体系とされても、使い勝手の向上は妨げられないという効果も有している。
【図面の簡単な説明】
【図１】本発明の実施の形態としてのモニタ装置の外観例を示す斜視図である。
【図２】本実施の形態のタブレットキーに用いられるタブレットの構造を示す斜視図である。
【図３】本実施の形態のモニタ装置に備えられるタブレットキーを示す正面図である。
【図４】本実施の形態のモニタ装置の構成を示すブロック図である。
【図５】本実施の形態のリモートコントローラの構成例を示すブロック図である。
【図６】タブレットキー検出部における処理動作を示すフローチャートである。
【図７】本実施の形態のモニタ装置のキー操作に対応した表示画像の変化を示す説明図である。
【図８】リモートコントローラの送信処理を示すフローチャートである。
【図９】モニタ装置のキー操作に対する判別処理を示すフローチャートである。
【図１０】コントロールキーの操作に対応する処理動作を示すフローチャートである。
【図１１】タブレットキーの操作に対応する処理動作を示すフローチャートである。
【図１２】タブレットキーの操作に対応する処理動作として、可変されたスライド移動量に基づく調整値、カーソル移動値の更新処理を示すフローチャートである。
【図１３】エンターキーの操作に対応する処理動作を示すフローチャートである。
【符号の説明】
１  モニタ装置、１ａ  筐体、２  ＣＲＴ、３，３０  電源キー、４，４０  コントロールキー、５，５０  タブレットキー、５ａ  アップ領域、５ｂ  ダウン領域、５ｃ  不感帯領域、５Ａ−１  タブレットシート、５Ａ−２  基板、５Ａ−３  電極、５Ａ−４  グランド電極、６，６０  エンターキー、７  映像信号処理ブロック、８  映像スイッチ、９  管面表示デバイス、１０，２５  タブレットキー検出部、１１  システムコントローラ、１２  受信部、ＲＣ  リモートコントローラ、ＳＰ  スピーカ、２０  音量表示、２１  入力切換表示、２２メインメニュー、２３  音質サブメニュー、２７  送信部
【図１】
0003894240.tif 000002
【図２】
0003894240.tif 000003
【図３】
0003894240.tif 000004
【図４】
0003894240.tif 000005
【図５】
0003894240.tif 000006
【図６】
0003894240.tif 000007
【図７】
0003894240.tif 000008
【図８】
0003894240.tif 000009
【図９】
0003894240.tif 000010
【図１０】
0003894240.tif 000011
【図１１】
0003894240.tif 000012
【図１２】
0003894240.tif 000013
【図１３】
0003894240.tif 000014